(57)【要約】【課題】  従来の着脱可能な荷かごや小物入れを有する荷かごでは、構造が複雑で部品点数が多くなるという問題があり、さらに、一つの荷かごに、着脱可能な機能とひったくり防止用の小物入れを設ける機能を、同時に実現することはできていない。【解決手段】  一つの荷かごを大荷かごと小荷かごの二重構造とするとともに、大荷かごに小荷かごを固定するための固定具を設け、小荷かごに取っ手とつばを設ける構成とした。これにより、小荷かごを着脱容易な携帯かごとして使用できる機能を持たせるとともに、大荷かごと小荷かごを結合したときの両者のすき間をひったくり防止用小物入れとして使用できる機能を持たせることができる。【選択図】図１
2005022625.tif 000002
【特許請求の範囲】
【請求項１】
自転車に固定される大荷かごと、この大荷かごに着脱容易な固定具により固定される小荷かごを備え、小荷かごが単体で買物かごまたは子供用遊具等の携帯かごとして利用できることを特徴とするとともに、大荷かごと小荷かごの両者を結合したとき両者により形成される空間を、盗難防止用の小物入れとして利用できることを特徴とする荷かご。
【発明の詳細な説明】
【技術分野】
【０００１】  本発明は自転車用の荷かごに関し、より具体的には着脱が容易な携帯用のかごとして使用できるとともに、ひったくり防止用の小物入れを備える荷かごに関する。
【背景技術】
【０００２】  自転車の荷かごとして、一般の荷かごは取付金具により自転車に固定されて使用されているが、荷かごを着脱自在にしたものが提案されており、例えば特開２００３−１３７１５７がある（従来の例１）。この例は、荷かごの搭載台と荷かごの両方にロック機構を設け荷かごの着脱を用意に行えるようにしたものである。【０００３】  一方、ひったくり防止用の小物入れを備えた荷かごが提案されており、例えば特開２００２−３０２０８０がある（従来の例２）。この例では、一個の荷かごの内部を間仕切りにより仕切ることによりひったくり防止用の小物入れを設けるものである。
【特許文献１】  特開２００３−１３７１５７
【特許文献２】  特開２００２−３０２０８０
【発明の開示】
【発明が解決しようとする課題】
【０００４】  以上述べた荷かごにおいて、従来の例１の荷かごでは荷かごとその搭載台の両方に特別なロック機構を設ける必要がある。また、従来の例２の荷かごでは小物入れのための空間を仕切るために間仕切りを設ける必要がある。【０００５】  すなわち、上記の例に示すような荷かごでは、上記例のような機能を有しない一般的な荷かごに比べて、構造が複雑になり製造コストが上昇するとともに、部品点数が多くなるため故障の可能性が増大する。さらに、一つの荷かごに、着脱可能な機能とひったくり防止用の小物入れを設ける機能を、同時に実現することはできていない。【０００６】  そこで本発明では、一つの荷かごを大荷かごと小荷かごの二重構造とすることにより、小荷かごを着脱容易な携帯かごとして使用できる機能を持たせるとともに、大荷かごと小荷かごを結合したときの両者のすき間をひったくり防止用小物入れとして使用できる機能を持たせることを目的とする。
【発明を解決するための手段】
【０００７】  本発明が上記目的を達成するため、第１の技術的手段として大荷かごの内側寸法のうちの高さに比べて小荷かごの外側寸法のうちの高さを短く設定し、大荷かごの内側寸法のうちの幅と奥行きを小荷かごの外側寸法のうちの幅と奥行きと等しく設定している。これによって、小荷かごと大荷かごを結合させたときに両者の底面と大荷かごの側面によりすき間が形成され、その大きさを適宜設定することによりひったくり防止用の小物入れとして利用できる。さらに、大荷かごと小荷かごの側面が密着するため、自転車乗車時の振動により小荷かごが不要な動きをすることを防止できる。
【０００８】  第２の技術的手段は、小荷かごにつばを設け、このつばが大荷かごの上端に嵌るような構造にしていることである。これにより、小荷かごの下方への移動が拘束されるので、自転車乗車時の振動により小荷かごが下方にずり落ちることを防止できる。
【０００９】  第３の技術的手段は、小荷かごに取っ手を設けていることである。これにより、小荷かごを単独で用いるときに、持ち運びが便利な携帯かごとして利用できるようにする。
【００１０】  第４の技術的手段は、大荷かごに固定され、スナップ等の固定機構を有する固定具を設けていることである。この固定具を用いて、第３の技術的手段に述べる取っ手を利用してスナップ等で固定することにより、容易かつ迅速に小荷かごを大荷かごに固定できる。
【発明の効果】
【００１１】  以上述べたように、本発明の自転車用荷かごは、小荷かごと大荷かごを結合して使用することにより、ひったくり防止用の小物入れを有する荷かごとして使用できる。さらに、小荷かごは、着脱容易な携帯かごとして使用できる。
【発明を実施するための最良の形態】
【００１２】  以下、本発明の実施の形態を図１〜図５に基づいて述べる。図において、１が大荷かご、２が固定具、３が小荷かご、４が小荷かごのつば部、５が小荷かごの取っ手、６が小物入れ、７が自転車前輪上部構造、８がハンドル、９がハンドルステー、１０が前輪泥除け、１１が側部固定金具、１２が底部固定金具、１３が取っ手取付部である。小荷かごと大荷かごの水平断面形状は一致させる必要があるが、荷かごの大きさや形状は任意に設定することができ、例えば図３に示すように小荷かごを、買物に便利なスーパー備え付けの買い物かごと同一形状とすることや子供の砂遊びに使用するバケツのような遊具と同一形状とすることも可能である。なお、ここでは、自転車の前部荷かごを対象として述べるが、１１及び１２の固定金具を後部荷台用に変更することにより、自転車の後部荷台用荷かごに本発明の荷かごを同様に適用できる。【００１３】  図４は、小荷かごを取り外して大荷かご単体での使用状況を示すが、従来の−般の荷かごはこのような使用法で使用されている。大荷かご１は、ボルト等を用いた固定金具１１及び１２により使用時に脱落しないよう強固に自転車前輪上部構造７に固定されている。【００１４】  小荷かご３の上部には、つば部４が設けられ、このつば部４が大荷かご１の上端に嵌め込まれる構造となっており、この構造により小荷かごが下方にずり落ちることは防止される。【００１５】  また、大荷かご１の内側寸法のうちの幅と奥行きが、小荷かご３の外側寸法のうちの幅と奥行きと等しく設定されるため、小荷かご３は自転車乗車時の振動に対して安定した構造となる。【００１６】  一方、大荷かご１に比べて小荷かご３の高さが小さく設定され、小荷かご３の下方への移動がつば部４により拘束されるので、小荷かご３と大荷かご１の底面には小物入れ６が形成される。【００１７】  図５に示すように、小荷かごには取っ手５が設けられ、固定具２はこの取っ手５を通して使用することにより、小荷かご３を大荷かご１に固定できるような構成となっている。また、固定具２はスナップ等の着脱が容易で確実に固定できる固定機構を有する構成となっている。【００１８】  以上、上記構成の機能を説明する。スナップ等により着脱が容易な固定具２により小荷かごと大荷かごの着脱を容易かつ迅速に行うことができる。この固定具２とつば部４により小荷かご３は大荷かご１に固定され、自転車乗車時の振動で小荷かごが大荷かごから飛び出すことを防止できる。また、つば部４を設けたことにより形成される小物入れ６が、ひったくり防止用の小物入れとして利用できる。大荷かご１は、小荷かご３を取り外した後も荷かごとして利用できる。小荷かご３は、取っ手５を有するため、単独で買い物かごまたは子供の砂遊び用バケツのような遊具としても使用できる。
【図面の簡単な説明】
【００１９】
【図１】    大荷かごと小荷かごを結合したときの自転車用荷かごの外観図
【図２】    大荷かごと小荷かごを結合したときの自転車用荷かごの断面図
【図３】    小荷かごの外観図
【図４】    大荷かご単体での自転車用荷かごの外観図
【図５】    固定具使用例
【符号の説明】
【００２０】    １    大荷かご
２    固定具
３    小荷かご
４    小荷かごのつば部
５    小荷かごの取っ手
６    小物入れ
７    自転車前輪上部構造
８    ハンドル
９    ハンドルステー
１０  前輪泥除け
１１  側部固定金具
１２  底部固定金具
１３  取っ手取付部
【図１】
2005022625.tif 000003
【図２】
2005022625.tif 000004
【図３】
2005022625.tif 000005
【図４】
2005022625.tif 000006
【図５】
2005022625.tif 000007